(57)【要約】【課題】可動刃の刃体間に導入された毛髪の逃げ出しを更に抑制することができるバリカン刃を提供する。【解決手段】可動刃１６の刃体１６ａにおける並設方向の両側の切刃部２２は、基端から先端側に向かうほど隣り合うそれ（刃体１６ａ）との間隔が広くなる第１直線Ａに略沿った基端切刃部２２ａと、基端切刃部２２ａの先端から連続して形成され、前記第１直線Ａより隣り合う刃体１６ａ側に突出する先端逃げ防止部２２ｂとを有する。そして、基端切刃部２２ａ全体は、先端側に向かうほど隣り合うそれ（刃体１６ａ）との間隔が狭くなる構成を複数段有する鋸歯状の鋸歯部とされている。【選択図】図４
2010004992.tif 000002
【特許請求の範囲】
【請求項１】
刃体を多数並設してなる櫛状の固定刃及び可動刃を重ねて、前記可動刃を前記固定刃に対して前記刃体の並設方向に往復摺動させて毛髪を切断するためのバリカン刃において、
前記可動刃の前記刃体における前記並設方向の両側の切刃部は、基端から先端側に向かうほど隣り合う可動刃の刃体との間隔が広くなる第１直線に略沿った基端切刃部と、前記基端切刃部の先端から連続して形成され、前記第１直線より隣り合う可動刃の刃体側に突出する先端逃げ防止部とを有するものであって、
前記可動刃の前記刃体における前記切刃部の少なくとも一部は、先端側に向かうほど隣り合う可動刃の刃体との間隔が狭くなる構成を複数段有する鋸歯状の鋸歯部とされたことを特徴とするバリカン刃。
【請求項２】
請求項１に記載のバリカン刃において、
前記鋸歯部は、前記基端切刃部に形成されたことを特徴とするバリカン刃。
【請求項３】
請求項１又は２に記載のバリカン刃において、
前記鋸歯部は、前記先端逃げ防止部に形成されたことを特徴とするバリカン刃。
【請求項４】
請求項３に記載のバリカン刃において、
前記先端逃げ防止部に形成された前記鋸歯部における基端部は、基端から先端側に向かうほど隣り合う可動刃の刃体との間隔が狭くなる第２直線に沿って形成され、前記鋸歯部における先端角部は、前記第２直線より刃体の幅方向の内側に形成されたことを特徴とするバリカン刃。
【請求項５】
請求項１乃至４のいずれか１項に記載のバリカン刃と、
前記バリカン刃における前記可動刃を前記並設方向に往復摺動させるための駆動源と
を備えたことを特徴とする電動バリカン。
【発明の詳細な説明】
【技術分野】
【０００１】
本発明は、固定刃に対して可動刃を往復摺動させて毛髪を切断するためのバリカン刃及びそのバリカン刃を備えた電動バリカンに関するものである。
【背景技術】
【０００２】
従来から電動バリカン等のバリカン刃としては、刃体を多数並設してなる櫛状の固定刃及び可動刃を重ねて、可動刃を固定刃に対して刃体の並設方向に往復摺動させて毛髪を切断するものが知られている。
【０００３】
そして、このようなバリカン刃における可動刃としては、刃体における並設方向の両側の切刃部を、刃体の先端側に向かうほど隣り合う刃体との間隔が狭くなるように傾斜した先端直線部（先端逃げ防止部）と、先端直線部の基端から更に基端側に向かうほど隣り合う刃体との間隔が狭くなるように傾斜した基端直線部とで構成したものがある（例えば、特許文献１参照）。
【０００４】
このようなバリカン刃では、可動刃における先端直線部にて、可動刃の刃体（切刃部）間に導入された毛髪がその先端の開口から逃げ出してしまうことが低減される。
【特許文献１】特開２００８−８０１１１号公報
【発明の開示】
【発明が解決しようとする課題】
【０００５】
しかしながら、上記のようなバリカン刃（電動バリカン）においては、可動刃の刃体間に導入された毛髪がその先端の開口から逃げ出してしまうことの更なる抑制が望まれている。
【０００６】
本発明は、上記課題を解決するためになされたものであって、その目的は、可動刃の刃体間に導入された毛髪の逃げ出しを更に抑制することができるバリカン刃及び電動バリカンを提供することにある。
【課題を解決するための手段】
【０００７】
上記課題を解決するために、請求項１に記載の発明では、刃体を多数並設してなる櫛状の固定刃及び可動刃を重ねて、前記可動刃を前記固定刃に対して前記刃体の並設方向に往復摺動させて毛髪を切断するためのバリカン刃において、前記可動刃の前記刃体における前記並設方向の両側の切刃部は、基端から先端側に向かうほど隣り合う可動刃の刃体との間隔が広くなる第１直線に略沿った基端切刃部と、前記基端切刃部の先端から連続して形成され、前記第１直線より隣り合う可動刃の刃体側に突出する先端逃げ防止部とを有するものであって、前記可動刃の前記刃体における前記切刃部の少なくとも一部は、先端側に向かうほど隣り合う可動刃の刃体との間隔が狭くなる構成を複数段有する鋸歯状の鋸歯部とされたことを要旨とする。
【０００８】
同構成によれば、可動刃の刃体における並設方向の両側の切刃部は、基端から先端側に向かうほど隣り合う可動刃の刃体との間隔が広くなる第１直線に略沿った基端切刃部を有する。そして、可動刃の刃体における並設方向の両側の切刃部は、基端切刃部の先端から連続して形成され、前記第１直線より隣り合う可動刃の刃体側に突出する先端逃げ防止部を有するため、該先端逃げ防止部にて可動刃の刃体間に導入された毛髪がその先端の開口から逃げ出してしまうことが低減される。
【０００９】
更に、可動刃の刃体における切刃部の少なくとも一部は、先端側に向かうほど隣り合う可動刃の刃体との間隔が狭くなる構成を複数段有する鋸歯状の鋸歯部とされるため、該鋸歯部にて毛髪がその先端の開口から逃げ出してしまうことが複数段階で抑制される。
【００１０】
請求項２に記載の発明では、請求項１に記載のバリカン刃において、前記鋸歯部は、前記基端切刃部に形成されたことを要旨とする。
同構成によれば、基端切刃部に形成された鋸歯部にて毛髪が先端の開口から逃げ出してしまうことが複数段階で抑制される。
【００１１】
請求項３に記載の発明では、請求項１又は２に記載のバリカン刃において、前記鋸歯部は、前記先端逃げ防止部に形成されたことを要旨とする。
同構成によれば、先端逃げ防止部に形成された鋸歯部にて毛髪が先端の開口から逃げ出してしまうことが複数段階で抑制される。
【００１２】
請求項４に記載の発明では、請求項３に記載のバリカン刃において、前記先端逃げ防止部に形成された前記鋸歯部における基端部は、基端から先端側に向かうほど隣り合う可動刃の刃体との間隔が狭くなる第２直線に沿って形成され、前記鋸歯部における先端角部は、前記第２直線より刃体の幅方向の内側に形成されたことを要旨とする。
【００１３】
同構成によれば、先端逃げ防止部に形成された鋸歯部における先端角部は、第２直線より刃体の幅方向の内側に形成されるため、例えば、先端角部が単純に第２直線上に形成された場合に比べて、可動刃の刃体における先端（先端角部）の間隔が広くなり、可動刃の刃体（切刃部）間への毛髪の導入性が向上される。
【００１４】
請求項５に記載の発明では、請求項１乃至４のいずれか１項に記載のバリカン刃と、前記バリカン刃における前記可動刃を前記並設方向に往復摺動させるための駆動源とを備えたことを要旨とする。
【００１５】
同構成によれば、請求項１乃至４のいずれか１項に記載の発明の効果と同様の効果を奏することができる電動バリカンを提供することができる。
【発明の効果】
【００１６】
本発明によれば、可動刃の刃体間への毛髪の導入性を向上することができるとともに、製造が容易なバリカン刃及び電動バリカンを提供することができる。
【発明を実施するための最良の形態】
【００１７】
以下、本発明を具体化した一実施形態を図１〜図４に従って説明する。
図１（ａ）（ｂ）及び図２に示すように、本実施形態の電動バリカン１０は、基端側（図１（ａ）（ｂ）において下側）略半分が把持部１１をなすハウジング１２を有し、該ハウジング１２内の略中央部には駆動源としての電動モータ１３が収容保持されている。電動モータ１３の駆動力を伝達する駆動軸１３ａは、ハウジング１２の先端部に装着される刃ブロック１４（図３参照）まで延びている。
【００１８】
刃ブロック１４は、それぞれ刃体１５ａ，１６ａ（図４参照）を多数並設してなる櫛状の固定刃１５及び可動刃１６を備え、前記駆動軸１３ａは可動刃１６に駆動連結されている。尚、本実施形態では固定刃１５及び可動刃１６にてバリカン刃が構成されている。固定刃１５及び可動刃１６は、図４に示すように、前記刃ブロック１４（図３参照）として組み付けられた状態で、固定刃１５（刃体１５ａ）の先端が可動刃１６（刃体１６ａ）の先端より突出するように重ねて配置されるとともに、固定刃１５に対して可動刃１６が刃体１６ａの並設方向に往復摺動可能とされている。
【００１９】
そして、前記把持部１１に設けられた操作スイッチ１１ａが操作されることで電動モータ１３が駆動されると、その駆動力は駆動軸１３ａを介して可動刃１６に伝達され、固定刃１５に対して可動刃１６が刃体１６ａの並設方向に往復直線運動（往復摺動）することで、固定刃１５と可動刃１６による毛髪の切断が可能となる。
【００２０】
ここで、固定刃１５の刃体１５ａにおける前記並設方向の両側の切刃部２１は、幅方向（前記並設方向）中心線Ｌ１に対して対称形状に形成されている。又、固定刃１５における切刃部２１は、先端に向かうほど隣り合うそれ（刃体１５ａ）との間隔が若干広くなるように、言い換えると、その垂線（対向方向）が斜め先端側を向くように、傾斜して形成されている。
【００２１】
又、可動刃１６の刃体１６ａにおける前記並設方向の両側の切刃部２２は、幅方向（前記並設方向）中心線Ｌ２に対して対称形状に形成されている。又、可動刃１６における切刃部２２は、基端から先端側に向かうほど隣り合うそれ（刃体１６ａ）との間隔が広くなる第１直線Ａに略沿った基端切刃部２２ａと、その基端切刃部２２ａの先端から連続して形成され、前記第１直線Ａより隣り合う刃体１６ａ側に突出する先端逃げ防止部２２ｂとを有する。本実施の形態の先端逃げ防止部２２ｂは、刃体１６ａの先端側に向かうほど隣り合うそれ（刃体１６ａ）との間隔が狭くなるように、言い換えると、その垂線（対向方向）が斜め基端側を向くように、傾斜して形成されている。
【００２２】
そして、本実施の形態では、基端切刃部２２ａ全体が、刃体１６ａの先端側に向かうほど隣り合うそれ（刃体１６ａ）との間隔が広くなる構成を複数段（本実施の形態では３段）有する鋸歯状の鋸歯部とされている。尚、この基端切刃部２２ａ（鋸歯部）は、隣り合うそれ（刃体１６ａ）側に突出した各角部が前記第１直線Ａ上にあるように形成されている。又、基端切刃部２２ａ（鋸歯部）は、固定刃１５における切刃部２１とで形成されるはさみ角α，βが毛髪を挟み込んで切断するのに好適な鋭角となるように設定されている。
【００２３】
因みに、本実施の形態における電動バリカン１０は、ハウジング１２に設けられたダイヤル部材２３を回動させることで、可動刃１６が固定刃１５の刃体１５ａの延びる方向に沿って固定刃１５に対して進退可能に設けられ、これにより毛髪の刈り高さを調整することが可能とされている。
【００２４】
上記のように構成された電動バリカン１０では、電動モータ１３を駆動し可動刃１６を固定刃１５に対して往復摺動させながら、固定刃１５の刃体１５ａと可動刃１６の刃体１６ａとの間に毛髪を導入させると、該毛髪が刃体１５ａ，１６ａに挟み込まれて切断される。
【００２５】
次に、上記実施の形態の特徴的な作用効果を以下に記載する。
（１）可動刃１６の刃体１６ａにおける並設方向の両側の切刃部２２は、基端から先端側に向かうほど隣り合うそれ（刃体１６ａ）との間隔が広くなる第１直線Ａに略沿った基端切刃部２２ａを有する。そして、可動刃１６の刃体１６ａにおける並設方向の両側の切刃部２２は、基端切刃部２２ａの先端から連続して形成され、前記第１直線Ａより隣り合う刃体１６ａ側に突出する先端逃げ防止部２２ｂを有するため、該先端逃げ防止部２２ｂにて可動刃１６の刃体１６ａ間に導入された毛髪がその先端の開口から逃げ出してしまうことが低減される。
【００２６】
更に、基端切刃部２２ａ全体は、刃体１６ａの先端側に向かうほど隣り合うそれ（刃体１６ａ）との間隔が広くなる構成を複数段（本実施の形態では３段）有する鋸歯状の鋸歯部とされるため、該基端切刃部２２ａ（鋸歯部）にて毛髪がその先端の開口から逃げ出してしまうことが複数段階で抑制される。
【００２７】
上記実施の形態は、以下のように変更してもよい。
・上記実施の形態では、基端切刃部２２ａ全体を、刃体１６ａの先端側に向かうほど隣り合うそれ（刃体１６ａ）との間隔が広くなる構成を複数段有する鋸歯状の鋸歯部としたが、鋸歯部は可動刃１６の刃体１６ａにおける切刃部２２の少なくとも一部に形成されれば、他の形状に変更してもよい。
【００２８】
例えば、図５に示すように、上記実施の形態の先端逃げ防止部２２ｂ全体を、鋸歯部としての先端逃げ防止部２２ｃに変更してもよい。このようにしても、先端逃げ防止部２２ｃ全体は、刃体１６ａの先端側に向かうほど隣り合うそれ（刃体１６ａ）との間隔が広くなる構成を複数段有する鋸歯状の鋸歯部とされるため、該先端逃げ防止部２２ｃ（鋸歯部）にて毛髪がその先端の開口から逃げ出してしまうことが複数段階で抑制される。
【００２９】
又、この例の先端逃げ防止部２２ｃ（鋸歯部）における基端部は、基端から先端側に向かうほど隣り合うそれ（刃体１６ａ）との間隔が狭くなる第２直線Ｂに沿って形成されているが、先端逃げ防止部２２ｃ（鋸歯部）における先端角部Ｃは、前記第２直線Ｂより刃体１６ａの幅方向の内側（隣り合う刃体１６ａと離間する側）に形成されている。詳しくは、この例の先端逃げ防止部２２ｃ（鋸歯部）における各角部は、刃体１６ａの延びる方向（刃体１６ａの並設方向の直交方向）に略沿った直線上に形成されている。このようにすると、例えば、先端角部が単純に第２直線Ｂ上に形成された場合に比べて、可動刃１６の刃体１６ａにおける先端（先端角部Ｃ）の間隔が広くなり、可動刃１６の刃体１６ａ（切刃部２２）間への毛髪の導入性が向上される。
【００３０】
尚、この例（図５参照）の基端切刃部２２ｄは、上記実施の形態の基端切刃部２２ａ（図４参照）と異なり、基端から先端側に向かうほど隣り合うそれ（刃体１６ａ）との間隔が広くなる第１直線Ａに完全に沿った（一致した）形状とされているが、勿論、この基端切刃部２２ｄを上記実施の形態の基端切刃部２２ａ（図４参照）としてもよい。このようにすると、毛髪が開口から逃げ出してしまうことが更に多段階で抑制される。
【００３１】
・上記実施の形態では特に明言しなかったが、可動刃１６の刃体１６ａにおける切刃部２２には、固定刃１５との摺動面（摺動方向）に対して鋭角なすくい角を形成すべく傾斜したすくい面を形成してもよい。このようにすると、すくい面（すくい角）の作用により、毛髪が切刃部２２に引っ張られること（いわゆる毛引きの発生）が低減される。
【図面の簡単な説明】
【００３２】
【図１】（ａ）本実施形態における電動バリカンの側面図。（ｂ）同じく電動バリカンの正面図。
【図２】本実施の形態における電動バリカンの断面図。
【図３】本実施の形態における刃ブロックの斜視図。
【図４】本実施の形態におけるバリカン刃の形状について説明するための説明図。
【図５】別例におけるバリカン刃の形状について説明するための説明図。
【符号の説明】
【００３３】
１３…電動モータ（駆動源）、１５…固定刃、１５ａ，１６ａ…刃体、１６…可動刃、２２…切刃部、２２ａ…基端切刃部（鋸歯部）、２２ｂ…先端逃げ防止部、２２ｃ…先端逃げ防止部（鋸歯部）、２２ｄ…基端切刃部、Ａ…第１直線、Ｂ…第２直線、Ｃ…先端角部。
【図１】
2010004992.tif 000003
【図２】
2010004992.tif 000004
【図３】
2010004992.tif 000005
【図４】
2010004992.tif 000006
【図５】
2010004992.tif 000007